(57)【要約】【課題】  入力キーの数の削減を図って生まれた余剰スペースを表示装置の配置に振り分けることによって、より大型の表示装置を備える携帯電話機を提供する。【解決手段】  本発明の携帯電話機１０は、多機能入力キー１０７と所定のダイヤル入力キーとを共用することにより、入力キー群１４の操作性を維持しつつ、キー配置面１３において余剰スペースを確保し、その余剰スペースを表示装置１２の拡大に振り分けることによって、携帯電話機１０の本体１１の大きさを従来どおりとしつつも、表示装置１２の大型化を達成する。【選択図】        図２
2005217642.tif 000002
【特許請求の範囲】
【請求項１】
表示画面を備え、ダイヤル入力キー群と、それぞれ異なる入力が可能である特定数の機能入力キーを統合した多機能入力キーと、が基体の同一面に配置され、
前記多機能入力キーを前記ダイヤル入力キー群に含まれる前記特定数と同数のダイヤル入力キーとして兼用することによって、該多機能入力キーは前記特定数の機能入力キー毎に所定数の異なる入力操作の受付が可能であり、
前記多機能入力キーを前記ダイヤル入力キー群に含まれる前記特定数と同数のダイヤル入力キーとして兼用するために、該多機能入力キーの機能を変更するための機能変更手段を有することを特徴とする携帯電話機。
【請求項２】
前記多機能入力キーの前記所定数の異なる入力態様に応じて、該多機能入力キーの手操作による入力位置に、前記ダイヤル入力キー群に含まれる該特定数と同数のダイヤル入力キーそれぞれに付されるダイヤル用指標マークと、該特定数の機能入力キーそれぞれに付される機能指標マークと、の一対一の組合せが標印されていることを特徴とする請求項１に記載の携帯電話機。
【請求項３】
表示画面を備え、ダイヤル入力キー群と、特定数の異なる入力が可能であるように該特定数の機能入力キーを統合した多機能入力キーと、が基体の同一面に配置された携帯電話機において、
前記多機能入力キーを前記ダイヤル入力キー群に含まれる前記特定数と同数のダイヤル入力キーとして兼用して、該多機能入力キーは前記特定数の機能入力キー毎に所定数の異なる入力操作の受付が可能であり、
前記多機能入力キーを前記ダイヤル入力キー群に含まれる前記特定数と同数のダイヤル入力キーとして兼用するために、該多機能入力キーの機能を変更するための機能変更方法を含むことを特徴とする情報入力方法。
【請求項４】
表示画面を備え、ダイヤル入力キー群と、特定数の異なる入力が可能であるように該特定数の機能入力キーを統合した多機能入力キーと、が基体の同一面に配置された携帯電話機において、
前記多機能入力キーを前記ダイヤル入力キー群に含まれる前記特定数と同数のダイヤル入力キーとして兼用して、該多機能入力キーは前記特定数の機能入力キー毎に所定数の異なる入力操作の受付を可能ならしめ、
前記多機能入力キーを前記ダイヤル入力キー群に含まれる前記特定数と同数のダイヤル入力キーとして兼用するために、該多機能入力キーの機能を変更するための機能変更ステップを含むことを特徴とする情報入力制御プログラム。
【発明の詳細な説明】
【技術分野】
【０００１】
本発明は、携帯電話機（特にその入力キー）、携帯電話機の情報入力方法、及びその情報入力制御プログラムに関する。
【背景技術】
【０００２】
従来、携帯電話の表示装置の大型化に関しては、表示装置を三面鏡の様に折り畳み、使用時にその折り畳みを開くことによって大型の表示装置を取り付けた携帯電話機（例えば、特許文献１参照）や、入力キーを配置する基体を携帯電話機本体とは別基体として、ヒンジによって携帯電話機本体に畳み込めるように取り付けた携帯電話機（例えば、特許文献２、特許文献３参照）などが提案されている。しかし、いずれの構造の携帯電話機も、従来の携帯電話機から、外観や使用形態を大幅に変更するために、携帯電話機の製造者にとっては、製造工程の変更を余儀なくされ、携帯電話機の使用者にとっては、使い慣れた従来の携帯電話機と構造が大きく異なるため、使い勝手が悪く、また、デザイン的に劣るという問題点があった。
【０００３】
さて、近時の携帯電話機の進歩はめざましく、携帯電話機の表示装置を通じて大量の文字、画像の表示が行われるようになっている。さらには、テレビチューナーを内蔵した携帯電話も登場し、携帯電話機の表示装置にてテレビ映像が表示可能となっている。このような事情から、携帯電話機の表示装置の大型化の要望は、以前にも増して重要な達成すべき課題となりつつある。
【０００４】
なお、異なる機能を持った複数のキーを兼用することによって、入力キーの数を減らした携帯電話機は、特許文献４で提案されているが、発信／終話キーを兼用するに過ぎず、発信および終話といった一連の機能を一つの入力キーで実現するものに過ぎない。特許文献４の発明は、ダイヤル入力キーとは受け持つ機能が全く異なる入力キーを兼用するという発想には立っておらず、携帯電話機の表示装置の大型化に対応するという課題を解決するものではなかった。
【特許文献１】特開２００２−１１８６３１号公報
【特許文献２】特開２００３−１６９１１２号公報
【特許文献３】特開２００３−１６９１１４号公報
【特許文献４】特開平９−１７２４８２号公報
【発明の開示】
【発明が解決しようとする課題】
【０００５】
特に、近時の携帯電話機は、各種の特殊機能を実行するために、多数の入力キーを有することが一般的である。この多数の入力キーが、入力キーを配置する基体において占める面積は大きく、入力キーの大幅な削減を図り、その結果生まれた余剰スペースを表示装置の配置に振り分けることによって、より大型の表示装置を備える携帯電話機が望まれている。
【課題を解決するための手段】
【０００６】
前述の課題に鑑み、本発明はなされた。特に、近時の携帯電話機は、各種の特殊機能を実行するために、十字形状の多機能入力キーを有することが一般的である。本発明の目的は、多機能入力キーが、入力キーを配置する基体において占める面積は大きいが、ダイヤル入力キーとは受け持つ機能が全く異なる入力キーを兼用するという発想に基づき、ダイヤル入力キーを多機能入力キーと兼用することによって、入力キーを配置する基体において余剰スペースを生み出し、その余剰スペースを有効利用して、本体の外観を従来のものから変更することなく、従来の携帯電話の利用者に受け入れやすく、デザイン的にも違和感が生じないようにしつつ、より大型の表示装置を備える携帯電話機を提供することである。そして、本発明は、従来の携帯電話機におけるダイヤル入力キーと多機能入力キーの用途ごとの使用頻度を分析し、ダイヤル入力キーの機能が、特殊機能を実行するための多機能入力キーの機能と、ほとんど重複がないという点に着目したことに着眼の意外性がある。
【０００７】
本発明では、具体的には、以下のようなものを提供する。
【０００８】
（１）  表示画面を備え、ダイヤル入力キー群（例えば、後述の入力キー１０６，１０７Ｕ，１０８，１０７Ｌ，１０７Ｃ，１０７Ｒ，１１０，１０７Ｄ，１１１，１１２，１１３，１１４など）と、それぞれ異なる入力が可能である特定数（例えば、“↑”，“↓”，“←”，“→”，“ＯＫ”の５種類など）の機能入力キー（例えば、後述の入力キー１０７Ｕ，１０７Ｌ，１０７Ｃ，１０７Ｒ，１０７Ｄなど）を統合した多機能入力キー（例えば、後述の多機能入力キー１０７など）と、が基体の同一面（例えば、後述の入力キー配置面１３など）に配置され、前記多機能入力キーを前記ダイヤル入力キー群に含まれる前記特定数と同数のダイヤル入力キー（例えば、後述の“２”，“４”，“５”，“６”，“８”のダイヤル入力キーなど）として兼用することによって、該多機能入力キーは前記特定数の機能入力キー毎に所定数の異なる入力操作の受付が可能であり、前記多機能入力キーを前記ダイヤル入力キー群に含まれる前記特定数と同数のダイヤル入力キーとして兼用するために、該多機能入力キーの機能を変更するための機能変更手段（例えば、後述の図４または図６の処理を実行するデジタル・シグナル・プロセッサ５０、図５の機能切り換えスイッチ１６ａなど）を有することを特徴とする携帯電話機。
【０００９】
（１）の発明によれば、ダイヤル入力キーと、多機能入力キーと、を統合することによって、従来の携帯電話機に比べて入力キーの数を減少させることができる。この入力キーの減少によって、入力キーが配置される携帯電話機の基体の同一面に余剰スペースを確保することができ、その余剰スペースを利用して、従来の携帯電話機に比べて表示画面の表示領域の拡大を図ることができる。また、携帯電話機の部品点数を削減することができるので、製造工程の簡略化、部品管理の簡略化によって製造コストの削減を図ることができ、延いては携帯電話機の価格の抑制に寄与することが期待できる。
【００１０】
また、携帯電話機は、多機能入力キーの機能を、ダイヤル入力キーの機能と、多機能入力キー本来の機能と、のいずれかの機能に切り換える機能変更手段を備えたので、使用者の意思に従って、多機能入力キーを機能させることができる。
【００１１】
（２）  前記多機能入力キーの前記所定数の異なる入力態様に応じて、該多機能入力キーの手操作による入力位置に、前記ダイヤル入力キー群に含まれる該特定数と同数のダイヤル入力キーそれぞれに付されるダイヤル用指標マーク（例えば、後述のダイヤル入力キーに付される“２”，“４”，“５”，“６”，“８”の表示など）と、該特定数の機能入力キーそれぞれに付される機能指標マーク（例えば、多機能入力キーに付される“↑”，“↓”，“←”，“→”，“ＯＫ”の表示など）と、の一対一の組合せが標印されていることを特徴とする（１）に記載の携帯電話機。
【００１２】
（２）の発明によれば、携帯電話機の使用者は、共用するキーに標印される指標マークを確認しつつ、意図する操作を確実に行うことができる。
【００１３】
（３）  表示画面を備え、ダイヤル入力キー群と、特定数の異なる入力が可能であるように該特定数の機能入力キーを統合した多機能入力キーと、が基体の同一面に配置された携帯電話機において、前記多機能入力キーを前記ダイヤル入力キー群に含まれる前記特定数と同数のダイヤル入力キーとして兼用して、該多機能入力キーは前記特定数の機能入力キー毎に所定数の異なる入力操作の受付が可能であり、前記多機能入力キーを前記ダイヤル入力キー群に含まれる前記特定数と同数のダイヤル入力キーとして兼用するために、該多機能入力キーの機能を変更するための機能変更方法（例えば、後述の図４または図６の処理をデジタル・シグナル・プロセッサ５０が実行することによって実現される方法など）を含むことを特徴とする情報入力方法。
【００１４】
（３）の発明によれば、ダイヤル入力キーと、多機能入力キーと、を統合して制御することによって、従来の携帯電話機に比べて入力キーの数を減少させることができる。この入力キーの減少によって、入力キーが配置される携帯電話機の基体の同一面に余剰スペースを確保することができ、その余剰スペースを利用して、従来の携帯電話機に比べて表示画面の表示領域の拡大を図ることができる。また、携帯電話機の部品点数を削減することができるので、製造工程の簡略化、部品管理の簡略化によって製造コストの削減を図ることができ、延いては携帯電話機の価格の抑制に寄与することが期待できる。
【００１５】
また、携帯電話機は、多機能入力キーの機能を、ダイヤル入力キーの機能と、多機能入力キー本来の機能と、のいずれかの機能に切り換える機能変更方法によって、使用者の意思に従って、多機能入力キーを機能させることができる。
【００１６】
（４）  表示画面を備え、ダイヤル入力キー群と、特定数の異なる入力が可能であるように該特定数の機能入力キーを統合した多機能入力キーと、が基体の同一面に配置された携帯電話機において、前記多機能入力キーを前記ダイヤル入力キー群に含まれる前記特定数と同数のダイヤル入力キーとして兼用して、該多機能入力キーは前記特定数の機能入力キー毎に所定数の異なる入力操作の受付を可能ならしめ、前記多機能入力キーを前記ダイヤル入力キー群に含まれる前記特定数と同数のダイヤル入力キーとして兼用するために、該多機能入力キーの機能を変更するための機能変更ステップ（例えば、後述の図４または図６の処理に含まれるステップなど）を含むことを特徴とする情報入力制御プログラム。
【００１７】
（４）の発明によれば、ダイヤル入力キーと、多機能入力キーと、を統合して制御することよって、従来の携帯電話機に比べて入力キーの数を減少させることができる。この入力キーの減少によって、入力キーが配置される携帯電話機の基体の同一面に余剰スペースを確保することができ、その余剰スペースを利用して、従来の携帯電話機に比べて表示画面の表示領域の拡大を図ることができる。また、携帯電話機の部品点数を削減することができるので、製造工程の簡略化、部品管理の簡略化によって製造コストの削減を図ることができ、延いては携帯電話機の価格の抑制に寄与することが期待できる。
【００１８】
また、携帯電話機は、多機能入力キーの機能を、ダイヤル入力キーの機能と、多機能入力キー本来の機能と、のいずれかの機能に切り換える機能変更ステップによって、使用者の意思に従って、多機能入力キーを機能させることができる。
【発明の効果】
【００１９】
本発明によれば、従来の携帯電話機に比べて入力キーの数を減少させることができるため、入力キーが配置される携帯電話機の基体の同一面に余剰スペースを確保することができ、その余剰スペースを利用して、従来の携帯電話機に比べて表示画面の表示領域の拡大を図ることができる。
【発明を実施するための最良の形態】
【００２０】
図１〜図７を参照して、本発明の好適な実施例を説明する。
【００２１】
［第１実施例］
図１は、携帯電話機１０の外観を示す図である。携帯電話機１０の本体１１は、いわゆるスティック型（棒型）と呼ばれるタイプの形状をしている。そして、携帯電話機１０の本体１１の大きさは、従来の携帯電話機とほぼ同じ大きさである。
【００２２】
携帯電話機１０の本体１１の正面下部のキー配置面１３には、ダイヤル番号，その他の文字の入力や、携帯電話機１０の各種機能の実行指示の入力のための、入力キー群１４が配置されている。この入力キー群１４の詳細は、後に図２を参照して説明する。
【００２３】
携帯電話機１０の本体１１の正面上部には、表示装置１２が備えられている。なお、この表示装置１２の横長ｗは、従来の携帯電話機１０とほぼ同じであるが、縦長ｈは、従来の携帯電話機１０と比較して長い。すなわち、表示装置１２は、従来の携帯電話機に比べ、縦長ｈが長くなった分だけ、表示画面の面積が広い。これは、後述するように、入力キー群１４に含まれるキーを集約することによってキー数を減らし、キー数を減らしたことによって生じた余剰スペースを、表示装置１２の表示画面の面積に振り分けたためである。
【００２４】
携帯電話機１０の本体１１の上部には、アンテナ１５が備えられている。このアンテナは、携帯電話機１０が、基地局（図示せず）と情報通信を行うときに利用する電磁波の送出および受信を行うときに使用される。すなわち、このアンテナ１５を介して、携帯電話機１０は基地局と、電磁波のやり取りを行う。図１は、アンテナ１５が本体１１に収納された状態を示しているが、アンテナ１５は伸張可能でもある。アンテナ１５は、本体１１に収納された状態と、伸張された状態と、のいずれの状態であっても、電磁波の送出および受信が可能である。
【００２５】
［キー配置面１３の入力キー群１４の配置の詳細］
図２は、キー配置面１３に配置される、入力キー群１４の配置の詳細を示す図である。
【００２６】
入力キー群１４に含まれる、複数の入力キーの本体１１側内部には、それぞれ対応する入力スイッチが配置されている。また、複数の入力キーの本体１１側内部には、携帯電話機１０が備える照度センサ（図示せず）の検知に応じて、それぞれのキーを内部から照射する光源（図示せず）が配置されている。この光源の発光によって、暗い場所であっても、キー入力操作が容易に行える様になっている。
【００２７】
また、入力キー群１４に含まれる、それぞれの入力キーは、複数の入力機能を有しているが、その入力機能の切り換えは、所定の入力キーの操作に従って、適宜切り換えられる。
【００２８】
また、入力キー群１４に含まれる、それぞれの入力キーのサイズは、従来の携帯電話機が備える入力キーのサイズと略同じである。このため、それぞれの入力キーの操作性は、従来の携帯電話機と略同じである。
【００２９】
また、入力キー群１４に含まれる、それぞれの入力キーは、キー配置面１３に対して極端に凸とはなっておらず、従来の携帯電話機と同様の利便性・操作性を持つ。
【００３０】
図２を参照すると、キー配置面１３の略中央には、多機能入力キー１０７が配置されている。この多機能入力キー１０７は、入力キー１０７Ｌ，入力キー１０７Ｃ，入力キー１０７Ｒ，入力キー１０７Ｕ，入力キー１０７Ｄの、５つの入力キーが１つに統合されたキーであり、略十字の形状を取る。入力キー１０７Ｃが多機能入力キー１０７の略中央に配置され、入力キー１０７Ｃを取り囲むように、入力キー１０７Ｌ，入力キー１０７Ｒ，入力キー１０７Ｕ，入力キー１０７Ｄが配置される。
【００３１】
多機能入力キー１０７は、５つの入力キーが１つに統合されたキーであるが、それぞれの入力キーは、以下のように複数の入力機能を有する。
【００３２】
入力キー１０７Ｌは、“４”のダイヤル入力機能と、“Ｇ”，“Ｈ”，“Ｉ”の大文字・小文字のアルファベット入力機能と、“た”行のひらがな・カタカナ入力機能と、“←”の特殊入力機能と、を有する。ここで、以下、特殊入力機能とは、その入力によって種々の特殊機能の実行が実現できる機能をいい、特殊入力機能が割り当てられた入力キー毎に、適宜所定の特殊入力が可能である。
【００３３】
入力キー１０７Ｃは、“５”のダイヤル入力機能と、“Ｊ”，“Ｋ”，“Ｌ”の大文字・小文字のアルファベット入力機能と、“な”行のひらがな・カタカナ入力機能と、“ＯＫ”の特殊入力機能と、を有する。
【００３４】
入力キー１０７Ｒは、“６”のダイヤル入力機能と、“Ｍ”，“Ｎ”，“Ｏ”の大文字・小文字のアルファベット入力機能と、“は”行のひらがな・カタカナ入力機能と、“→”の特殊入力機能と、を有する。
【００３５】
入力キー１０７Ｕは、“２”のダイヤル入力機能と、“Ａ”，“Ｂ”，“Ｃ”の大文字・小文字のアルファベット入力機能と、“か”行のひらがな・カタカナ入力機能と、“↑”の特殊入力機能と、を有する。
【００３６】
入力キー１０７Ｄは、“８”のダイヤル入力機能と、“Ｔ”，“Ｕ”，“Ｖ”の大文字・小文字のアルファベット入力機能と、“や”行のひらがな・カタカナ入力機能と、“↓”の特殊入力機能と、を有する。
【００３７】
以上の様に、入力キー１０７Ｌ，入力キー１０７Ｃ，入力キー１０７Ｒ，入力キー１０７Ｕ，入力キー１０７Ｄが、ダイヤル入力機能，アルファベット入力機能，ひらがな・カタカナ入力機能と、特殊入力機能とを併せて有することによって、入力キー群１４に含まれる入力キーの数を集約することができ、それぞれのキーサイズを徒に小型化することなく、キー配置面１３において入力キーが占める面積を縮小することができる。このことによって生まれたキー配置面１３における余剰スペースを、表示装置１２（図１参照）の表示画面の拡大に利用することができ、表示装置１２の表示画面の拡大化・大型化のニーズを充足することができる。
【００３８】
なお、入力キー１０１，入力キー１０２，入力キー１０４には、所定の入力機能が割り当てられている。また、入力キー１０３は発信キーで、携帯電話機における通話の開始の際に入力操作される入力キーであり、入力キー１０５は終話および電源キーで、携帯電話機における通話の終了の際に入力操作される入力キーである。入力キー１０６は、“１”のダイヤル入力機能と、“．”，“＠”などの特殊記号の入力機能と、“あ”行のひらがな・カタカナ入力機能と、有する。入力キー１０８は、“３”のダイヤル入力機能と、“Ｄ”，“Ｅ”，“Ｆ”の大文字・小文字のアルファベット入力機能と、“さ”行のひらがな・カタカナ入力機能と、を有する。入力キー１１０は、“７”のダイヤル入力機能と、“Ｐ”，“Ｑ”，“Ｒ”，“Ｓ”の大文字・小文字のアルファベット入力機能と、“ま”行のひらがな・カタカナ入力機能と、を有する。入力キー１１１は、“９”のダイヤル入力機能と、“Ｗ”，“Ｘ”，“Ｙ”，“Ｚ”の大文字・小文字のアルファベット入力機能と、“ら”行のひらがな・カタカナ入力機能と、を有する。入力キー１１２は、“＊”のダイヤル入力機能と、濁音，半濁音の入力機能と、を有する。入力キー１１３は、“０”のダイヤル入力機能と、“わ”，“を”，“ん”のひらがな・カタカナ入力機能と、を有する。入力キー１１４は、“＃”のダイヤル入力機能と、改行の入力機能と、を有する。これらの入力キーに割り当てられた入力機能は、従来の携帯電話機と同一の入力機能を有する。
【００３９】
以上の説明と図２が示す内容から、本実施例の携帯電話機の入力キー群１４は、ダイヤル入力機能，発信・終話機能などの点では、その入力キーの配列が、従来の携帯電話機と同一である。従って、携帯電話機が本実施例で示すような入力キー配置をとっても、使用者は、従来機種と略同じ感覚でダイヤル操作などを行うことができ、操作性の低下や不便を招くおそれは無い。
【００４０】
なお、以上で説明した、入力キー群１４に含まれるそれぞれの入力キーに割り当てられた各種入力機能の割り当て方法は、携帯電話機の入力操作性を高めるために、適宜設計変更可能である。
【００４１】
また、多機能入力キー１０７に共用して割り当てられるダイヤル入力キーは、例えば、“５”，“７”，“８”，“９”，“０”であってもよい。または、多機能入力キー１０７に共用して割り当てられる入力キーは、入力キー１０４（図２参照）、および“１”，“２”，“３”，“５”のダイヤルキーであってもよく、携帯電話機の入力操作性を一定水準以上に保つことができるものであれば、いずれでもよい。
【００４２】
［携帯電話機１０の電気的構成］
図３を参照して、本実施例の携帯電話機１０の電気的構成を説明する。
【００４３】
図３に示す携帯電話機１０は、デジタル・シグナル・プロセッサ５０を処理装置の中核として構成されている。デジタル・シグナル・プロセッサ５０は、携帯電話機１０全体の電気的制御をつかさどるＣＰＵの役割と、マイクロフォン５６から入力された音声信号をデジタル変換して電磁波での搬送に適したデータ形式に変換して無線制御部５１に送信し、或いは無線制御部５１がアンテナ６１を介して受信した電磁波から所定のデジタルデータを抽出したものを、アナログ変換してスピーカ５７から発生するに適したデータ形式に変換するという、Ａ／Ｄ（アナログ・デジタル）・Ｄ／Ａ（デジタル・アナログ）コンバータの役割とを担う。このデジタル・シグナル・プロセッサ５０には、次の各種構成要素が接続されている。すなわち、アンテナ６１を介して基地局（図示せず）との間で通話に関する種々の情報を送受信する無線制御部５１が、デジタル・シグナル・プロセッサ５０に接続されており、両者は双方向で信号の送信を行う。また、各種情報・画像を使用者に表示するための表示装置１２（液晶表示装置，有機ＥＬ，その他情報・画像を表示可能な装置であればいずれでもよい）が、デジタル・シグナル・プロセッサ５０に接続されている。また、入力キー群１４（図１，図２参照）に含まれる入力キーそれぞれになされた入力操作を検知して所定の入力信号をデジタル・シグナル・プロセッサ５０に送信し、かつ入力キー群１４に含まれるそれぞれの入力キーの入力機能をコントロールするための信号を入力キー群１４に対して送信する入力キーコントローラ５３が、デジタル・シグナル・プロセッサ５０に接続されている。
【００４４】
また、デジタル・シグナル・プロセッサ５０には、使用者の音声を入力するマイクロフォン５６と、アンテナ６１を介して送信されてきたデジタル音声信号であって、デジタル・シグナル・プロセッサ５０の処理によってアナログ変換された音声信号を発生するスピーカ５７と、が接続されている。
【００４５】
また、デジタル・シグナル・プロセッサ５０には、呼制御プログラム，入力キー制御プログラムなどの各種制御プログラムを格納したＲＯＭ５８と、短縮ダイヤル番号，リダイヤル番号などを格納するＲＡＭ５９と、携帯電話機やその使用者の識別番号を格納するＥＰＲＯＭ６０と、が接続されている。特に、入力キー制御プログラムは、ＲＯＭ５８から呼び出されてＲＡＭ５９に常駐することによって、デジタル・シグナル・プロセッサ５０が所定の動作を行い、入力キーコントローラ５３を制御し、入力キー群１４に含まれるそれぞれの入力キーの入力機能をコントロールするための信号を入力キー群１４に対して送信する、という一連の処理が、機能変更手段を構成する。
【００４６】
さらに、デジタル・シグナル・プロセッサ５０には、リチウム・イオン方式による主電源と、有機伝導性ポリマーによる二次電源と、を含むバッテリが接続されている。通常、携帯電話機１０は、リチウム・イオン方式による主電源からの電源供給によって動作し、ＲＡＭ５９の記憶内容を保持するが、主電源の電荷が消尽に至ると、二次電源からの電源供給によってＲＡＭ５９の記憶内容が保持される。
【００４７】
［第１実施例のデジタル・シグナル・プロセッサ５０の処理］
図４を参照して、携帯電話機１０のデジタル・シグナル・プロセッサ５０で実行される、入力キー操作のフローチャートを説明する。なお、このフローチャートで示される一連の処理が、機能変更手段の一部を構成している。
【００４８】
先ず、ステップＳ１０１では、デジタル・シグナル・プロセッサ５０が、押下入力キーが“０”のダイヤル入力キーか否かを判定する。この判定がＹＥＳのときステップＳ１０４へ処理を移し、ＮＯのときステップＳ１０２へ処理を移す。
【００４９】
ステップＳ１０２では、デジタル・シグナル・プロセッサ５０が、押下入力キーは“２”，“４”，“５”，“６”，“８”のダイヤル入力キーのいずれであるかを判定する。この判定がＹＥＳのときステップＳ１０３へ処理を移し、ＮＯのとき本ルーチンは終了する。
【００５０】
ステップＳ１０３では、デジタル・シグナル・プロセッサ５０が、“２”，“４”，“５”，“６”，“８”のダイヤル入力キー押下入力キーに応じて、各押下入力キーに割り当てられた入力機能にしたがって、各種特殊機能を実行する。例えば、“２”のダイヤル入力キーに、着信履歴表示の機能が割り当てられている場合は、この“２”のダイヤル入力キーの押下によって、表示装置１２に着信履歴が表示される。この処理が終了すると、本ルーチンは終了する。
【００５１】
一方、ステップＳ１０４では、デジタル・シグナル・プロセッサ５０が、通常ダイヤル受付・発信・通話処理を実行する。この処理が終了すると、本ルーチンは終了する。
【００５２】
図４に示すルーチンでは、最初に押下されたダイヤル入力キーが“０”か否かによって、多機能入力キー１０７がダイヤル入力キーとして機能するか、或いは特殊機能入力キーとして機能するかが、自動的に切り換わることができる。すなわち、最初に押下されたダイヤル入力キーが“０”であると多機能入力キー１０７はダイヤル入力キーとして機能し、“０”以外であると多機能入力キー１０７は特殊機能入力キーとして機能する。これは、携帯電話機における、通常のダイヤル入力は、必ず最初に“０”から入力するためであり、少なくとも通常のダイヤル入力において、“２”，“４”，“５”，“６”，“８”の入力キーから入力されることは無いという、入力キーの完全なる機能分担によって可能となっている。
【００５３】
［第２実施例］
図５は、第２実施例の携帯電話機１０ａの外観を示す図である。第２実施例の携帯電話機１０ａの本体１１ａは、第１実施例の携帯電話機１０と同じく、いわゆるスティック型（棒型）と呼ばれるタイプの形状をしている。そして、携帯電話機１０ａの本体１１ａの大きさは、従来の携帯電話機とほぼ同じ大きさである。
【００５４】
なお、第２実施例の携帯電話機１０ａの電気的構成は、第１実施例の携帯電話機１０と同様の構成である。
【００５５】
ここで、携帯電話機１０ａは、多機能入力キー１０７（図２参照）の機能を切り換える、機能切り換えスイッチ１６ａを、本体１１ａの側面に備えている。この機能切り換えスイッチ１６ａは、使用者の操作によって切り換えた機能の状態を保持する状態保持式スイッチである。この機能切り換えスイッチ１６ａが押下されると、ダイヤル入力キーとして機能していた多機能入力キー１０７が特殊機能入力キーとして機能するように機能変更され、或いは特殊機能入力キーとして機能していた多機能入力キー１０７がダイヤル入力キーとして機能するように機能変更される。
【００５６】
［第２実施例のデジタル・シグナル・プロセッサ５０の処理］
図６を参照して、携帯電話機１０ａのデジタル・シグナル・プロセッサ５０で実行される、入力キー操作のフローチャートを説明する。なお、このフローチャートで示される一連の処理が、機能変更手段の一部を構成している。
【００５７】
先ず、ステップＳ１１０では、デジタル・シグナル・プロセッサ５０が、機能切り換えスイッチ１６ａが押下されたか否かの判定を行う。この判定がＹＥＳのときステップＳ１１１へ処理を移し、ＮＯのときステップＳ１１０を繰り返す。
【００５８】
ステップＳ１１１では、デジタル・シグナル・プロセッサ５０が、現在の入力状態がダイヤル入力状態か否かを判定する。すなわち、多機能入力キー１０７がダイヤル入力キーとして機能している状態であるか否かを判定する。この判定がＹＥＳのときステップＳ１１２へ処理を移し、ＮＯのときステップＳ１１３へ処理を移す。
【００５９】
ステップＳ１１２では、デジタル・シグナル・プロセッサ５０が、入力状態を特殊機能入力状態に変更する。この処理によって、多機能入力キー１０７が特殊機能入力キーとして機能するようになる。この処理が終了すると本ルーチンは終了する。
【００６０】
ステップＳ１１３では、デジタル・シグナル・プロセッサ５０が、入力状態をダイヤル入力状態に変更する。この処理によって、多機能入力キー１０７がダイヤル入力キーとして機能するようになる。この処理が終了すると本ルーチンは終了する。
【００６１】
以上の処理によって、携帯電話機１０ａは、機能切り換えスイッチ１６ａの操作によって、多機能入力キー１０７の機能が切り換わる様に構成されているが、これに限らず、携帯電話機１０ａは、デフォルトの状態では多機能入力キー１０７がダイヤル入力キーとして機能するようになっており、最初に発信入力キー１０３（図２参照）が押下されると多機能入力キー１０７がダイヤル入力キーとして機能するように切り換わる制御を行うようにしてもよい。
【００６２】
［第３実施例］
図７を参照して、本発明を、折り畳み式携帯電話機に適用した一例を示す。
【００６３】
図７に示すように、折り畳み式携帯電話機１０ｂは、ヒンジ１６ｂを介して、２つの基体が折り畳み可能に連結されている。折り畳み式携帯電話機１０ｂは、図７中に示す矢印の方向に折り畳み可能である。２つの基体の一方（図７では上方の基体）は、第１の表示装置１２ｂ−１が配置され、もう一方の基体には、入力キー配置面１３ｂおよび第２の表示装置１２ｂ−２が配置されている。入力キー配置面１３ｂに配置される入力キーは、第１実施例の図２に示したように、多機能入力キーと一部のダイヤル入力キーとが機能集約されており、従来の折り畳み式携帯電話機に比べ、入力キー配置面１３ｂ占める入力キーの面積が縮小されている。この縮小によって生じたスペースに第２の表示装置１２ｂ−２が配置されている。そして、第１の表示装置１２ｂ−１と第２の表示装置１２ｂ−２は、物理的にはヒンジ１６ｂのラインを境にして分断されているものの、電気的な表示制御によって、あたかも一体の表示装置であるかのように、画像・情報が表示される。この様にして、本発明を折り畳み式携帯電話機に適用することによっても、表示画面の拡大という目的を達成することができる。
【００６４】
なお、第３実施例の変形例として、いわゆるリボルバ（回転）式の携帯電話機であっても、本発明が適用可能な場合がある。リボルバ式の携帯電話機とは、第１の基体と第２の基体とを、ヒンジが両基体を貫通するような形で結合し、いずれかの基体を基準としてもう一方の基体を１８０度回転させることによって入力キー配置面が現れ、通話可能となる携帯電話機である。この携帯電話機において、入力キー配置面１３ｂ占める入力キーの面積が縮小されて生じたスペースに第２の表示装置１２ｂ−２を配置し第１の表示装置１２ｂ−１と第２の表示装置１２ｂ−２を電気的な表示制御によってあたかも一体の表示装置であるかのように画像・情報の表示を行うことにより、表示画面の拡大という目的を達成することができる場合がある。
【図面の簡単な説明】
【００６５】
【図１】本発明の第１実施例の携帯電話機１０の外観を示す図である。
【図２】本発明の第１実施例の携帯電話機１０の入力キー群１４を示す図である。
【図３】本発明の第１実施例の携帯電話機１０の電気的構成を示す図である。
【図４】本発明の第１実施例の携帯電話機１０のデジタル・シグナル・プロセッサ５０の処理を示すフローチャート図である。
【図５】本発明の第２実施例の携帯電話機１０ａの外観を示す図である。
【図６】本発明の第２実施例の携帯電話機１０ａのデジタル・シグナル・プロセッサ５０の処理を示すフローチャート図である。
【図７】本発明の第３実施例の折り畳み式携帯電話機１０ｂの外観を示す図である。
【符号の説明】
【００６６】
１０，１０ａ，１０ｂ    携帯電話機
１２，１２ａ，１２ｂ    表示装置
１３    入力キー配置面
１４    入力キー群
１６ａ  機能切り換えスイッチ
５３    入力キーコントローラ
５８    ＲＯＭ
１０７    多機能入力キー
１０７Ｌ，１０７Ｃ，１０７Ｒ，１０７Ｕ，１０７Ｄ    入力キー
【図１】
2005217642.tif 000003
【図２】
2005217642.tif 000004
【図３】
2005217642.tif 000005
【図４】
2005217642.tif 000006
【図５】
2005217642.tif 000007
【図６】
2005217642.tif 000008
【図７】
2005217642.tif 000009